(57)【要約】【課題】斜面に設置する受圧板の引張材の定着削孔の掘削に際し、孔壁の崩壊を防止する掘削装置を提供する。【解決手段】ガイドレール１に沿って索７の巻き上げ、巻き戻しにより昇降するように設けたスライドベース８と、このスライドベースに据え付けた下向きの打撃力付与打撃装置１２と、下端に掘削ヘッド１３を有し、かつ上記スライドベースに上端側を回転自在に保持すると共に、駆動装置１６により回転するように設けた掘削ロッド１４と、下端に食い込み刃先２１を有して上記掘削ロッドの外側に嵌装して上記スライドベースに上端を不回転状態に取り付けたケーシング２２と、ケーシングの上部周壁に設けた排土窓２３とで構成した斜面安定工の掘削装置を採用する。【選択図】図２
2009062746.tif 000002
【特許請求の範囲】
【請求項１】
掘削点上に起立するガイドレールと、このガイドレールに沿って索の巻き上げ、巻き戻しにより昇降するように設けたスライドベースと、このスライドベースに据え付けた下向きの打撃力付与打撃装置と、下端に掘削ヘッドを有し、かつ上記スライドベースに上端側を回転自在に保持すると共に、駆動装置により回転するように設けた掘削ロッドと、下端に食い込み刃先を有して上記掘削ロッドの外側に嵌装して上記スライドベースに上端を不回転状態に取り付けたケーシングと、このケーシングの上部周壁に設けた排土窓とからなる斜面安定工の掘削装置。
【発明の詳細な説明】
【技術分野】
【０００１】
この発明は、オープンカット工法などにより造成した高速道路や各種施設などに面する傾斜地（法面）や、或いは崩壊のおそれのある急傾斜地などの斜面安定工の掘削装置に関する。
【背景技術】
【０００２】
崩壊のおそれのある斜面への斜面安定工は、まず、斜面（地山）の地中の所定深さ迄掘削しながら削孔を形成したのち、この削孔に引張材を挿入する。上記挿入した引張材は、削孔に充填してあるグラウト材により定置する。
【０００３】
次いで、斜面に運び込んだ受圧板を斜面上に載置する。その際、受圧板の中心の透孔に上記定着引張材の地上側突出端を貫通させる。
【０００４】
しかして、引張材の地上側突出端からナットをねじ込みながら、上記引張材に与えた緊張力を上記受圧板から上記斜面（地山）に伝達して前記斜面を安定させる（例えば、特許文献１参照）。
【特許文献１】特開２００４−２５７０３７号公報
【発明の開示】
【発明が解決しようとする課題】
【０００５】
ところで、特許文献１の斜面安定工の引張材を定着するための削孔の掘削は、先端に掘削ヘッドを有するロッドを回転させながら地面から地中に向け掘削している。
【０００６】
このような掘削方法によると、斜面安定工の地層が崩壊しやすい場合、孔壁が崩壊して削孔の直径が大きくなって、直径の安定した削孔が掘削できない。
【０００７】
このため挿入した引張材の定着に充填したグラウト材の安定した充填をはかることができず、引張材の安定した定着に問題が発生した。
【０００８】
上記問題の発生する要因は、掘削にともなう孔壁が圧密されないことにある。そこで、この発明は、崩壊しやすい地層であっても掘削した削孔の孔壁が崩壊しない掘削装置を提供することにある。
【課題を解決するための手段】
【０００９】
上記の課題を解決するために、この発明は、掘削点上に起立するガイドレールと、このガイドレールに沿って索の巻き上げ、巻き戻しにより昇降するように設けたスライドベースと、このスライドベースに据え付けた下向きの打撃力付与打撃装置と、下端に掘削ヘッドを有し、かつ上記スライドベースに上端側を回転自在に保持すると共に、駆動装置により回転するように設けた掘削ロッドと、下端に食い込み刃先を有して上記掘削ロッドの外側に嵌装して上記スライドベースに上端を不回転状態に取り付けたケーシングと、このケーシングの上部周壁に設けた排土窓とからなる斜面安定工の掘削装置を採用して、ケーシングによる掘削の削孔壁を圧密して、孔壁の崩壊を防止し、挿入した引張材の定着を容易にする。
【発明の効果】
【００１０】
以上のように、この発明の斜面安定工の掘削装置によれば、駆動装置により掘削ロッドを回転させながら地面から地中に向けヘッドにより掘削すると共に、打撃装置により掘削ロッドに下向きの打撃力を付与してあるので、掘削速度が大幅にアップして掘削能率が著しく向上する効果がある。
【００１１】
そして、掘削ロッドの外側に不回転状態に嵌装してあるケーシングを打撃装置により地面から地中に向け圧入しながら押し込むため、ケーシングにより削孔の孔壁が圧密されて、孔壁の崩壊がない。
【００１２】
このため、孔壁の崩壊にともなう土砂が削孔内に落下し、落下した土砂と掘削孔に充填したグラウト材とが混合して挿入引張材の定着強度が低下し、低下にともない斜面の受圧板を強力に圧接することができないという不都合を解消することができる。
【００１３】
また、１台の打撃装置でケーシングと掘削ロッドの圧入をはかり、掘削ロッドのみを駆動装置により回転するので、大型な（掘削ロッドとケーシングとの両方の）駆動装置が不要になる。このため、掘削装置が小型化し、かつ軽量化をはかることができる。
【発明を実施するための最良の形態】
【００１４】
以下、この発明の実施の形態を添付図面に基づいて説明する。
【００１５】
この発明の実施形態では、図１から図４に示すように、斜面安定工の掘削点上に、並列するガイドレール１を起立する。
【００１６】
上記のガイドレール１は、法面などの斜面２に載置する平面Ｕ字状などの橇３の上面両側に左右二本のガイドレール１、１の下端を支持して起立させ、両ガイドレール１、１の上端同士を連結する連結板４の両端にそれぞれのワイヤやロープの索５の先端を接続し、この両索５の末端を斜面２の立木や斜面２に打ち込んだアンカーピン６に止めて、ガイドレール１の安定した起立を保つ。
【００１７】
また、ガイドレール１には、索７のウインチ（図示省略）などによる巻き上げ、巻き戻しにより昇降スライドするスライドベース８が設けてある。
【００１８】
上記スライドベース８は、図示の場合両側の筒状体９をガイドレール１、１に嵌装してガイドし、連結板４に取り付けた滑車１０にかけ渡した索７の先端をスライドベース８の上縁中間の環１１に止めておく。
【００１９】
さらに、スライドベース８には、下向きに打撃力を付与する打撃装置１２が据え付けてある。
【００２０】
上記の打撃装置１２としては、例えば上下方向に打撃部材が交互にスライドする周知のものを使用する。
【００２１】
また、スライドベース８には、下端に掘削ヘッド１３を有する掘削ロッド１４の上端側が軸受１５を介し回転自在に軸承され、この掘削ロッド１４は、駆動装置１６によりドライブするようにしてある。
【００２２】
上記の駆動装置１６は、図示の場合スライドベース８にボックス１７を据え付けて、ボックス１７内の軸承第１歯車１８にボックス１７内に納まって掘削ロッド１４に固定してある第２歯車１９を噛合し、ボックス１７に据え付けたモーター２０により第１歯車１８を駆動することで掘削ロッド１４がドライブされるようになっているが、限定されない。
【００２３】
さらに、掘削ロッド１４の外側に下縁に食い込み刃先２１を有するケーシング２２を嵌装して、このケーシング２２の上端をスライドベース８側（図示の場合は、ボックス１７の底壁）に固定する。
【００２４】
そして、ケーシング２２の上部周壁には、排土窓２３が設けてある。
【００２５】
なお、図示のように掘削ロッド１４の軸芯に上端から掘削ヘッド１３の下面中心に連通する通路２４を設けると共に、ボックス１７の上側の中空室２５に流入パイプ２６よりエア或いは水を供給して、通路２４を通じて掘削ヘッド１３の下面から上記のエア或いは水を噴出し、噴出にともなう掘削土（水の場合、泥水となる）を掘削ヘッド１３の外周面所要間隔位置に設けてある縦溝２７を経てケーシング２２内に流入させることで、排土がスムーズになる。
【００２６】
そして、掘削ヘッド１３も図示の盤状に限定されず、放射状の翼を設けたものにしてもよい。すると、縦溝２７が不要になる。なお、図中２８はビットである。
【００２７】
上記のように構成すると、駆動装置１６を運転して斜面２から地中に向けて掘削ヘッド１３により掘削される。
【００２８】
その際、打撃装置１２の運転により下向きの打撃力が掘削ロッド１４に作用するので、掘進と共に、打ち込み、又ケーシング２２にも下向きの打撃力が作用してケーシング２２を打ち込んで削孔の周囲をケーシング２２によりガードして削孔の崩壊を阻止する。
【００２９】
勿論、掘削土は、ケーシング２２から排土窓２３に向かい排出される。
【００３０】
そして、掘進が所定の深さに到達すると、索７の巻き取りによって掘削ロッド１４と共にケーシング２２を引き抜いて、図５に示すように、形成された削孔Ａにグラウト材Ｂを充填し、次いで削孔Ａに鋼棒の引張材Ｃを押し込む。
【００３１】
上記のグラウト材Ｂが硬化すると、斜面２に運び込んだ受圧板Ｄを載置すると共に、受圧板Ｄの透孔Ｅに引張材Ｃの突出端を貫通させる。
【００３２】
その後に引張材Ｃの突出端からナットＦをねじ込んで締め付けて、斜面２に受圧板Ｄを圧接して斜面２を安定させる。
【図面の簡単な説明】
【００３３】
【図１】この発明の実施形態を示す側面図である。
【図２】同上の要部を示す一部切欠拡大正面図である。
【図３】掘削ヘッドの縦断拡大正面図である。
【図４】同上の横断平面図である。
【図５】受圧板の設置を示す縦断側面図である。
【符号の説明】
【００３４】
Ａ    削孔
Ｂ    グラウト材
Ｃ    引張材
Ｄ    受圧板
１    ガイドレール
２    斜面
３    橇
４    連結板
５、７    索
６    アンカーピン
８    スライドベース
９    筒状体
１０  滑車
１２  打撃装置
１３  掘削ヘッド
１４  掘削ロッド
１５  軸受
１６  駆動装置
１７  ボックス
１８  第１歯車
１９  第２歯車
２０  モーター
２１  刃先
２２  ケーシング
２３  排土窓
【図１】
2009062746.tif 000003
【図２】
2009062746.tif 000004
【図３】
2009062746.tif 000005
【図４】
2009062746.tif 000006
【図５】
2009062746.tif 000007